(57)【要約】   【課題】  カメラ付き携帯電話またはデジタルカメラにより、名刺等の規格化された形状の撮像対象物を撮像する際のピント位置および撮像範囲を容易に決定することができる、コンパクトな構成のアタッチメントを提供する。  【解決手段】  アタッチメント１を、カメラレンズが下向きに露出した状態で、カメラ付き携帯電話４０を着脱自在に固定するベース１０と、その一部を撮像対象物たる名刺１００が配置された面に当接させた場合におけるカメラレンズによるピント位置が、撮像手段の撮像可能位置に位置するように、名刺１００からカメラレンズまでの光学距離を固定する当接部２０と、を有するように構成する。この当接部２０は、その一部を名刺１００が配置された面に当接させることで、名刺１００に適した撮像範囲となるように撮像範囲を決定するものである。このアタッチメント１は、不使用時に、カード形状とすることができる。  【選択図】  図４
2005141185.tif 000002
【特許請求の範囲】
【請求項１】
ケースと、
前記ケースに内蔵されており、撮像を行う対象となる撮像対象物からの像光を捉えて撮像を行う撮像手段、少なくとも撮像を行う際に前記ケースから露出するものであり、前記像光がそれを通過して前記撮像手段に導かれるカメラレンズ、を有するカメラと、
を備えているカメラ付き携帯電話またはデジタルカメラに取り付けて用いるアタッチメントであって、
前記カメラレンズが下向きに露出した状態で、前記カメラ付き携帯電話または前記デジタルカメラを着脱自在に固定する固定部材と、
その一部を前記撮像対象物が配置された面に当接させた場合における前記カメラレンズによるピント位置が、前記撮像手段の撮像可能位置に位置するように、前記撮像対象物から前記カメラレンズまでの光学距離を固定する位置決め補助部材と、を有しており、
この位置決め補助部材は、その一部を前記撮像対象物が配置された面に当接させることで、一つの規格化された形状の撮像対象物に適した撮像範囲となるように前記撮像手段の撮像範囲を決定するものであり、
このアタッチメントを使用する際の前記位置決め補助部材の前記固定部材に対する位置が、前記アタッチメントを使用しない際における前記固定部材に対する位置と異なるように構成されており、不使用時に、略カード形状または略棒状とできるように構成される、
アタッチメント。
【請求項２】
前記固定部材および前記位置決め補助部材は、薄板形状をしており、不使用時に、略カード形状とできるように構成される、
請求項１記載のアタッチメント。
【請求項３】
前記アタッチメントは、さらに、前記撮像手段によって撮像される撮像範囲を好適な撮像範囲に調整するための対物レンズであり、この対物レンズを前記カメラレンズに対して所定の位置に取り付けた際に、前記固定部材から露出している前記カメラレンズとその光軸が一致するものを有する、
請求項１または２記載のアタッチメント。
【請求項４】
前記固定部材は、前記カメラレンズが設けられている面と当接する当接面を有しており、
この当接面は、その所定の位置に、前記カメラ付き携帯電話またはデジタルカメラを固定するための粘着部を有する、
請求項１ないし３のいずれかの項記載のアタッチメント。
【請求項５】
前記位置決め補助部材は、前記固定部材と連結されている、
請求項１ないし４のいずれかの項記載のアタッチメント。
【請求項６】
前記位置決め補助部材は、その一端が前記固定部材の長手方向の一端部と連結されている、
請求項５記載のアタッチメント。
【請求項７】
前記アタッチメントを使用しない際の前記位置決め補助部材の位置は、前記粘着部を覆うような位置である、
請求項４記載のアタッチメント。
【発明の詳細な説明】
【技術分野】
【０００１】
本発明は、規格化された形状の撮像対象物を撮像する際に、カメラ付き携帯電話またはデジタルカメラに取り付けて用いられるアタッチメントに関する。
【背景技術】
【０００２】
名刺は、個人情報が紙等に印刷されたものであり、一般的に名刺ホルダ等に収納して管理される。また、管理すべき名刺が大量になった場合には、名刺を収納するための場所をとるようになるだけでなく、名刺の検索に手間がかかるようになることから、名刺に記載された氏名、会社名、住所等の情報をコンピュータに入力して管理することが行われている。この場合、名刺に記載された情報は、タイプ入力によりコンピュータに取り込むことが一般的である。
しかし、名刺に記載された情報を一文字一文字タイプ入力するには多大な時間がかかり、労力が過大となる。このような事情は、名刺に限られず、宛名が記載されたはがきや、文章が記載された用紙等に記載された情報をタイプ入力する場合にもあてはまる。
このような労力を軽減するために、デジタルカメラ等を用いる方法が考えられる。すなわち、デジタルカメラ等によって名刺やはがきの撮像を行い、撮像した名刺等の画像データをコンピュータに取り込み、これを所定のソフトウェアを使用して文字データに変換すれば、タイプ入力にかかる時間と労力を軽減することができる。
【０００３】
このような名刺等の撮像は、カメラ付き携帯電話によっても行うことができる。  ここで、カメラ付き携帯電話とは、文字通りカメラを備えた携帯電話である。かかるカメラ付き携帯電話のカメラは、一般的な携帯電話のケースに、通常であればＣＣＤ（charge coupled device）によって形成される撮像手段を内蔵させるとともに、上記ケースの所定の位置にケースから露出するような状態で上記撮像手段に像光を導くカメラレンズを設けた構成とされている。
カメラ付き携帯電話は、このような構成によって写真撮影を行えるようになっている。
特に、カメラ付き携帯電話は、普段持ち歩かれるのが一般的であり、どこでも手軽に撮像を行うことができるため、非常に便利である。また、その画質も、機種によっては非常に優れている。
さらに、将来、撮像した名刺等の画像データを文字データに変換するための機能自体がカメラ付き携帯電話に搭載されれば、カメラ付き携帯電話単体で、撮像した画像データを文字データに変更して使用できるようになることも考えられる。
【０００４】
しかし、名刺等の撮像は、通常一枚につき一度行うのみであることから、複数の名刺等を撮像する場合、一枚毎にピント位置の調整を行う必要がある。
また、カメラ付き携帯電話またはデジタルカメラは、ハンディタイプのカメラと同様に撮像対象物からカメラを浮かせて撮像を行うことになるため、手振れが生じやすく、また、この手振れによりピント位置の調整を行いにくい。
さらに、撮像した画像データを文字データに自動的に変換できるように撮像範囲を決定する必要もあり、面倒な作業となっている。
【０００５】
一方、名刺やはがきの形状は、それぞれ規格化されているため統一されており、好適な撮像範囲、ピント位置は共通するものである。
【発明の開示】
【発明が解決しようとする課題】
【０００６】
以上から、規格化された形状の撮像対象物を撮像する際にカメラ付き携帯電話等に取り付けて使用する、撮像範囲およびピント位置を容易に決定することができる手段を備えたアタッチメントがあれば、上記の不具合を解決することができると考えられるが、このようなアタッチメントは、カメラ付き携帯電話等と共に持ち運びができ、コンパクトで嵩張らないようなものであることが好ましい。
【０００７】
よって、本発明は、カメラ付き携帯電話またはデジタルカメラにより規格化された形状の撮像対象物を撮像する際に、カメラ付き携帯電話等に取り付けて使用するアタッチメントであって、ピント位置および撮像範囲を容易に決定することができる、コンパクトな構成のアタッチメントを提供することを目的とする。
【課題を解決するための手段】
【０００８】
本発明は、カメラ付き携帯電話またはデジタルカメラに取り付けて用いるアタッチメントである。
なお、本発明のアタッチメントが取付けられるカメラ付き携帯電話等は、特殊なものである必要はない。一般的なカメラ付き携帯電話またはデジタルカメラでよい。例えば、ケースと、前記ケースに内蔵されており、撮像を行う対象となる撮像対象物からの像光を捉えて撮像を行う撮像手段、少なくとも撮像を行う際に前記ケースから露出するものであり、前記像光がそれを通過して前記撮像手段に導かれるカメラレンズ、を有するカメラと、を備えているカメラ付き携帯電話またはデジタルカメラでよい。また、本明細書における「携帯電話」には、ＰＨＳも含む。
そして、本発明のアタッチメントは、前記カメラレンズが下向きに露出した状態で、前記カメラ付き携帯電話または前記デジタルカメラを着脱自在に固定する固定部材と、その一部を前記撮像対象物が配置された面に当接させた場合における前記カメラレンズによるピント位置が、前記撮像手段の撮像可能位置に位置するように、前記撮像対象物から前記カメラレンズまでの光学距離を固定する位置決め補助部材と、を有する。この位置決め補助部材は、その一部を前記撮像対象物が配置された面に当接させることで、一つの規格化された形状の撮像対象物に適した撮像範囲となるように前記撮像手段の撮像範囲を決定するものである。そして、このアタッチメントを使用する際の前記位置決め補助部材の前記固定部材に対する位置が、前記アタッチメントを使用しない際における前記固定部材に対する位置と異なるように構成されており、不使用時に、略カード形状または略棒状とできるように構成されている。
【０００９】
このように、本発明のアタッチメントは、このアタッチメントを使用する際の位置決め補助部材の固定部材に対する位置が、アタッチメントを使用しない際における固定部材に対する位置と異なるように構成されており、不使用時に、略カード形状または略棒状とできるように構成されているため、コンパクトで持ち運び易いものとなっている。即ち、このようなアタッチメントは、カメラ付き携帯電話等と共に持ち歩くこともできる。
また、このアタッチメントを用いれば、必要に応じてカメラ付き携帯電話またはデジタルカメラに取り付けることで、規格化された形状の撮像対象物を撮像する際のピント位置および撮像範囲を容易に決定することができる。
なお、規格化された形状の撮像対象物としては、名刺、はがき、Ａ５、Ａ６等の、規格化されたサイズの紙等があげられる。また、本発明のアタッチメントは、規格化された形状の撮像対象物を繰り返し撮像する際の労力を軽減するためのものであることから、撮像対象物は、文字を含んでいない写真、トレーディングカード等であってもよい。
【００１０】
ここで、「略カード形状または略棒状」とは、その厚み、高さ、幅において一定とされていない形状であっても、一般的に、持ち運び易く、嵩張らないと認識される形状であればよいことを意味する。
すなわち、固定部材と位置決め補助部材は、同一形状としてもよいし、異なる形状としてもよい。
具体的には、不使用時のアタッチメントにおける最も厚みのある部分が５ｍｍとすることができるが、上限１０ｍｍであれば、「略カード形状または略棒状」とされる。
【００１１】
固定部材は、カメラレンズが下向きに露出した状態で、カメラ付き携帯電話またはデジタルカメラを着脱自在に固定できるようなものであれば、どのようなものであっても構わない。
また、固定部材の材質は、樹脂製のものとすることができる。こうすれば、アタッチメントを軽量のものとすることができる。
【００１２】
位置決め補助部材は、その一部を前記撮像対象物が配置された面に当接させた場合における前記カメラレンズによるピント位置が、前記撮像手段の撮像可能位置に位置するように、前記撮像対象物から前記カメラレンズまでの光学距離を固定するものである。また、この位置決め補助部材は、一つの規格化された形状の撮像対象物に適した撮像範囲となるように、前記撮像手段の撮像範囲を決定するものである。
すなわち、位置決め補助部材は、手振れを抑える機能および撮像範囲を決定する機能を有するものである。このような位置決め補助部材があれば、アタッチメントが取り付けられたカメラ付き携帯電話またはデジタルカメラのカメラによって名刺等を撮像する際に、位置決め補助部材の一部（例えば、その先端）を撮像対象物である名刺等の撮像範囲外に当接させることで、カメラ付き携帯電話等と撮像範囲との相対的な位置関係を安定させられるようになる。したがって、位置決め補助部材があれば、撮像中に、手振れによって撮像対象物が撮像範囲外に出てしまうといった不具合が生じにくい。
また、位置決め補助部材は、位置決め補助部材の一部に焦点が合うようになっているため、焦点合わせを簡単に行えるようにするという機能をも併せ持つ。このことから、位置決め補助部材があれば、手振れが軽減できるので、焦点合わせについての困難さを軽減できるようになる。
さらに、位置決め補助部材によれば、撮像対象物の撮像範囲が決定されるようになるため、個々の撮像の度に撮像範囲を調整する必要がない。
【００１３】
このような位置決め補助部材は、その一部を前記撮像対象物が配置された面に当接させた場合における前記カメラレンズによるピント位置が、前記撮像手段の撮像可能位置に位置するように、前記撮像対象物から前記カメラレンズまでの光学距離を固定できるようになっており、一つの規格化された形状の撮像対象物に適した撮像範囲となるように、前記撮像手段の撮像範囲を決定できるようになっているものであれば、どのようなものであっても構わない。例えば、位置決め補助部材の形状は、薄板形状のものとしてもよいし、棒状のものとしてもよい。
この位置決め補助部材の材質は、例えば、樹脂製のものとすることができる。こうすれば、アタッチメントを軽量のものとすることができる。
【００１４】
本発明のアタッチメントは、前記固定部材および前記位置決め補助部材が薄板形状をしており、不使用時に、略カード形状とできるように構成されていてもよい。
こうすれば、不使用時に、略カード形状とすることができ、コンパクトで持ち運びやすいものとなる。また、規格化された形状の撮像対象物が名刺である場合には、名刺と共に、名刺入れに入れておくことができるように構成することもできる。
薄板形状の固定部材は、例えば、カメラレンズを露出させるためのカメラ孔を備えた薄い矩形の板状体とすることができる。こうすれば、嵩張らないため持ち運びやすく、コンパクトなものとすることができる。
また、薄板形状の位置決め補助部材は、例えば、薄い矩形の板状体とすることができる。こうすれば、嵩張らず、コンパクトなものとすることができる。なお、この場合、撮像対象物からカメラレンズまでの光学距離に相当する板状体の長手方向の長さは、特定の規格化された撮像対象物に適したピント位置、撮像範囲となるように構成することができる。
【００１５】
以上のアタッチメントの固定部材は、また、前記カメラレンズが設けられている面と当接する当接面を有しており、この当接面は、その所定の位置に、前記カメラ付き携帯電話またはデジタルカメラを固定するための粘着部を有するものとしてもよい。
このように、当接面の所定の位置に粘着部を設ければ、カメラ付き携帯電話等を着脱自在に固定できるため、固定部材の幅方向の両端部に、カメラ付き携帯電話等を固定するためのリブ等を設ける必要がない。すなわち、固定部材として、単なる薄板形状のものを使用してもカメラ付き携帯電話等を固定することができ、嵩張らず、コンパクトなものとすることができる。
【００１６】
また、位置決め補助部材は、固定部材と連結されていてもよい。こうすれば、位置決め補助部材を紛失する可能性を少なくすることができる。なお、位置決め補助部材と固定部材は、例えばヒンジ等によって連結することができる。
固定部材と位置決め補助部材は、不使用時に略カード形状または略棒状とできるようになっていれば、どこで連結されていてもよい。
例えば、固定部材の当接面の裏面側で連結されていてもよい。こうすれば、位置決め補助部材を、固定部材と位置決め補助部材が連結されている連結部を中心として回転させることができ、裏面の所定の範囲を移動させることができる。この場合、不使用時の位置決め補助部材を、固定部材の長手方向と位置決め補助部材の長手方向が平行となるような位置に配置することで、略カード形状または略棒状とでき、アタッチメントを使用する際には、連結部を中心として位置決め補助部材を回転させ、固定部材の長手方向と位置決め補助部材の長手方向が垂直となるような位置に配置して使用するように構成してもよい。こうすれば、不使用時に略カード形状または略棒状とすることができる。
【００１７】
また、前記位置決め補助部材は、その一端が前記固定部材の長手方向の一端部と連結されているようにしてもよい。
こうすれば、位置決め補助部材の移動できる範囲を広げることができる。すなわち、位置決め補助部材を、必要に応じて固定部材の当接面側またはその裏面側に回転させることができ、不使用時に固定部材の当接面またはその裏面と当接するように構成することもできる。
【００１８】
また、以上の位置決め補助部材は、固定部材と連結されていなくてもよい。
例えば、不使用時に、位置決め補助部材を固定部材に嵌め込むことができ、嵌め込んだ際の形状が略カード形状または略棒状となるようになっており、使用時には、固定部材に嵌め込まれている位置決め補助部材を外し、位置決め補助部材の長手方向を固定部材の長手方向と垂直になるように取り付けて（例えば、嵌め込んで）使用できるようになっているものとしてもよい。
【００１９】
また、前記アタッチメントを使用しない際の位置決め補助部材の位置は、前記粘着部を覆うような位置となるように構成することができる。
こうすれば、不使用時に、位置決め補助部材が粘着部のカバーになるため、粘着部に汚れが付着することを防止でき、粘着部の粘着力が低下することを抑止することができる。
【００２０】
以上のアタッチメントは、さらに、前記撮像手段によって撮像される撮像範囲を好適な撮像範囲に調整するための対物レンズであり、この対物レンズを前記カメラレンズに対して所定の位置に取り付けた際に、前記固定部材から露出している前記カメラレンズとその光軸が一致するものを有するものであってもよい。
【００２１】
こうすれば、必要に応じて対物レンズをアタッチメントに取り付けることによって撮像範囲を好適な撮像範囲に調整することができるようになる。
本発明の対物レンズとしては、拡大レンズまたは縮小レンズを使用することができる。拡大レンズを使用すれば、撮像範囲を狭く調整することができる。一方、縮小レンズを使用すれば、撮像範囲を広く調整することができる。
なお、対物レンズは、必要に応じて着脱可能となっていてもよいし、固定部材に予め取り付けられており、着脱不可能となっていてもよい。
【００２２】
なお、上述の位置決め補助部材は、一つであってもよいが、複数であってもよい。
例えば、固定部材の長手方向の一端部と他端部に、それぞれ位置決め補助部材が接続されているものとしてもよい。
こうすれば、カメラ付き携帯電話等と撮像範囲との相対的な位置関係をより安定させることができ、手振れをさらに防止することができる。
【発明の効果】
【００２３】
本発明によれば、カメラ付き携帯電話またはデジタルカメラによって名刺等の規格化された形状の撮像対象物を撮像する際の、ピント位置および撮像範囲を容易に決定することができる、コンパクトな構成のアタッチメントを提供することができる。
【発明を実施するための最良の形態】
【００２４】
以下、図面を参照して、本発明の、好ましい実施形態を説明する。
＜第一実施形態＞
本実施形態におけるアタッチメント１は、カメラ付き携帯電話により名刺を撮像する際の手振れを防止し、ピント位置および撮像範囲を容易に決定するためのものであり、カメラ付き携帯電話に取り付けて用いられる。
この実施形態におけるカメラ付き携帯電話４０は、図１（ａ）に示したように、ケースをカメラの設けられた部分４０Ａと、設けられていない部分４０Ｂとに分けると共に、両者がユニバーサルジョイントにより接続された、二つ折りのタイプのものである。
このカメラ付き携帯電話４０は、この実施形態では、マイクロフォンとスピーカとそれらを制御する回路によって実現されるごく一般的な電話機能に加えて、電子メールを送受信するためのメール機能を少なくとも備えている。これらの機能を実現するため、このカメラ付き携帯電話４０は、ディスプレイ４１および図示しないアンテナを備え、ＣＰＵ、ＲＯＭ、ＲＡＭ、インタフェイスなどを内蔵しているが、これらはこの種のカメラ付き携帯電話に限らず、携帯電話に一般的なものなので、その説明を省略する。
なお、ディスプレイ４１は、カメラ付き携帯電話４０を構成する、ケース４０Ｂの前面側（カメラ付き携帯電話４０を閉じた際の外側）に設けられている。一方のケース４０Ａと他方のケース４０Ｂは、図１（ｂ）に示すように、他方のケース４０Ｂが、一方のケース４０Ａと接続された一端側を中心として回転できるように接続されており、カメラ付き携帯電話４０を閉じた状態においても、ディスプレイ４１を外部から視認できるようになっている。
カメラ付き携帯電話４０は、また、カメラを備えている。カメラは、図示しない撮像素子と、カメラレンズ４２とを備えている。
撮像素子は、カメラレンズ４２を介して撮像対象物から導かれた像光による撮像を行うものであり、この実施形態では、ＣＣＤにより構成されている。カメラレンズ４２は、複数のレンズの組み合わせによって構成されていても構わないが、この実施形態では、一つのレンズにより構成されている。
カメラレンズ４２は、図１（ｄ）に示すように、カメラ付き携帯電話４０を構成する一方のケース４０Ａの背面側（カメラ付き携帯電話４０を閉じた際の外側）に設けられている。このカメラレンズ４２は、常に露出しているのではなく、図１（ｃ）に示すように、カメラを使用しないときにはカメラレンズ４２は露出しない状態となっているが、カメラレンズ蓋４３をカメラ付き携帯電話４０の長さ方向にスライドさせることにより、必要に応じて露出させることができるようになっている。また、カメラ付き携帯電話４０は、カメラ照明４４を備えている。このカメラ照明４４は、カメラによる撮像を行う際、撮像対象物に適当な光を照射するためのものである。このカメラ照明４４も、カメラレンズ４２と同様に、一方のケース４０Ａの背面側に設けられており、必要に応じて露出させることができるようになっている。
このようなカメラ付き携帯電話としては、例えば、株式会社ＮＴＴドコモにより販売されている携帯電話である”ムーバＳＯ５０５ｉ”（商標）を用いることができる。
なお、本実施形態で使用するカメラ付き携帯電話４０は以上のようなものであるが、これに限られず、カメラ付き携帯電話であればどのようなものであってもよい。
【００２５】
このようなカメラ付き携帯電話４０に取り付けて用いるアタッチメント１を、図２ないし図４に示す。
アタッチメント１は、これをカメラ付き携帯電話４０に取り付けることにより、名刺を撮像する際の、ピント位置、ひいては撮像範囲を容易に決定するためのアタッチメントである。
なお、本実施形態のアタッチメント１は、名刺を撮像するためのものとして説明するが、これに限られず、はがきや写真等の規格化された形状の撮像対象物を撮像できるように構成することもできる。
【００２６】
アタッチメント１は、図２に示すように、カメラ付き携帯電話４０を着脱自在に固定するべース１０と、本発明の位置決め補助部材に相当する当接部２０と、を備えている。
このベース１０と当接部２０は、着脱自在に構成されていても構わないが、本実施形態では、ヒンジ２１により連結されている。
【００２７】
ベース１０は、閉じた状態のカメラ付き携帯電話４０を、カメラレンズ４２が設けられている面を下向きにした状態で固定するためのものである。なお、本実施形態のカメラ付き携帯電話４０を使用する場合には、ディスプレイ４１が設けられている面を上から視認できるような状態で固定されるようになる。
このベース１０は、本実施形態では、樹脂からなる略矩形の薄い板状体により構成されている。ベース１０の幅は、カメラ付き携帯電話４０の幅と略同一となっている。
ベース１０は、ベース１０をカメラ付き携帯電話４０に取付けた際、カメラレンズ４２と向かい合う位置にカメラ孔１１が、ベース１０をカメラ付き携帯電話４０に取り付けた際に、カメラ付き携帯電話４０が備える場合のあるカメラ照明４４と向かい合う位置にライト孔１２が設けられている。
これらカメラ孔１１およびライト孔１２はカメラ付き携帯電話４０をベース１０に取付けた際に、カメラレンズ４２とカメラ照明４４をベース１０から露出させるためのものである。
この実施形態におけるカメラ孔１１およびライト孔１２は、円形とされている。
【００２８】
カメラ孔１１の径は、カメラレンズ４２の視野を確保するに充分なものとされているが、カメラレンズ４２の視野を確保でき、且つカメラ照明４４の照明の蹴られが生じないのであれば、カメラ孔１１はその大きさ、形状を自由に変更することができる。
また、ライト孔１２は、カメラ照明４４の視野を遮らなければ、その大きさ、形状を自由に変更することができる。
更にいえば、カメラ孔１１とライト孔１２は、一連の孔であっても構わない。
【００２９】
ベース１０は、カメラ付き携帯電話４０のカメラレンズ４２が設けられている面と当接する当接面１０ａの所定の位置に、カメラ付き携帯電話４０を着脱可能に固定するための粘着部１３を有している。
粘着部１３は、本実施形態では、ウレタン製の、略矩形とされた粘着シートにより構成されている。この粘着部１３は、ベース１０よりも小さく、粘着部１３の幅はベース１０の幅よりも狭い。粘着部１３は、当接面１０ａの長手方向の両端のうち、カメラ孔１１から離れた一端側と、カメラ孔１１との間に設けられている。なお、粘着部１３と当接面１０ａは、接着剤等により固着されている。
本実施形態では、粘着部１３は以上のようなものとして構成したが、この粘着部１３は、カメラ付き携帯電話４０を着脱可能に固定できる程度の粘着力を有していれば、どのような材質、形状であってもよい。
【００３０】
また、ベース１０は、撮像される撮像範囲を調整するための対物レンズ３０を有している。
この対物レンズ３０は、ベース１０に固定されたカメラ付き携帯電話４０のカメラレンズ４２とその光軸が一致するようになっている。
対物レンズ３０としては、撮像対象物である名刺の撮像に適した撮像範囲となるような倍率のレンズが使用されている。本実施形態では、図５に示すように、名刺１００の輪郭の５ｍｍ程度の周縁部分を含むような撮像範囲Ａとなる対物レンズが使用されている。
本実施形態では、この対物レンズ３０は、カメラ孔１１に嵌め込まれている。
【００３１】
なお、この対物レンズ３０としては、一定の倍率を有する拡大レンズまたは縮小レンズが使用される。拡大レンズを使用すれば、撮像範囲を狭く調整でき、縮小レンズを使用すれば、撮像範囲を広く調整することができる。  
すなわち、撮像を予定している撮像対象物に合わせ、所定の倍率を有する対物レンズ３０を取り付けることによって、その撮像対象物の撮像に適した撮像範囲とすることができる。また、対物レンズ３０を有しないような構成としてもよい。
【００３２】
また、この対物レンズ３０は、必要に応じてアタッチメント１に取り付けることができるようになっていてもよい。この場合、対物レンズ３０は、カメラレンズ４２に対して所定の位置に取り付けた際に、ベース１０から露出しているカメラレンズ４２とその光軸が一致するものであればよい。
このような対物レンズ３０を有する本発明のアタッチメント１によれば、必要に応じてベース１０に対物レンズ３０を取り付けることによって、適切な撮像範囲になるよう調整することができ、文字データへの変換が可能な画像データを撮像することができる。また、撮像対象物の一部のみを撮像することもでき、より使いやすいものとなる。
【００３３】
当接部２０は、本発明の位置決め補助部材に相当するものである。図２に示すように、この当接部２０は、本実施形態では、薄い板状体とされており、その長手方向の一端部が、ベース１０の長手方向の他端部とヒンジ２１により連結されている。
この当接部２０は、ヒンジ２１を中心として、所定の範囲で回転させることができるようになっており、図３（ａ）のように、当接部２０の面がベース１０の面と垂直となる位置（使用位置）で停止するようになっている。当接部２０をこの位置に移動させ、その一部を名刺が配置された面に当接させることで、名刺からカメラレンズ４２までの光学距離を固定でき、その一部を名刺が配置された面に当接させた場合におけるカメラレンズ４２によるピント位置が、撮像可能位置に位置するように構成されている。すなわち、当接部２０を使用位置に配置した状態の、撮像素子から当接部２０の先端までの長さが、当接部２０の先端を名刺が配置された面に当接させたときに、カメラレンズ４２によるピント位置が、名刺の撮像範囲に合う範囲内に保てるように構成されている。
また、この当接部２０を使用位置に配置した状態の撮像範囲は、名刺の大きさに適した撮像範囲となるように構成されている。すなわち、撮像範囲が狭すぎることにより名刺の一部のみしか撮像できないということがなく、撮像範囲が広すぎることにより撮像対象物たる名刺が小さく撮像されるということがないような撮像範囲となっている。
よって、当接部２０を使用位置に配置した状態で当接部２０を名刺が配置された面に当接させれば、名刺に対してピントが自動的に合うようになり、ひいては撮像範囲が決定されるようになっている。
【００３４】
本実施形態のアタッチメント１を使用する際には、以上のように、図３（ａ）のような状態の当接部２０の先端を名刺が配置された面に当接させる。
また、アタッチメント１は、その不使用時には、この当接部２０を回転させ、図３（ｂ）のように、ベース１０の粘着部１３と重なるような位置に移動させる。この場合、アタッチメント１は、この図に示すように、不使用時にカード形状となるため、コンパクトで持ち運び易いものとなっている。
また、不使用時の当接部２０の位置は、粘着部１３を覆うような位置となっている。このことから、アタッチメント１の不使用時に、当接部２０が粘着部１３のカバーになるため、粘着部１３に汚れが付着することを防止でき、粘着部１３の粘着力が低下することを抑止することができる。
なお、本実施形態の不使用時のアタッチメント１における最も厚みのある部分は５ｍｍとなるように構成されているものとするが、これに限られない。
【００３５】
次に、このアタッチメント１の使用方法について説明する。
このアタッチメント１の使用方法は、カメラ付き携帯電話４０に、図３（ａ）のように、当接部２０を使用位置に配置した状態のアタッチメント１を取りつけて使用する。
具体的には、図３（ｂ）のように、カード形状となっている状態のアタッチメント１の当接部２０を回転させて、図３（ａ）の位置に配置する。そして、図２に示すように、ベース１０の粘着部１３に、カメラレンズ４２が設けられている面を下向きにして閉じた状態のカメラ付き携帯電話４０を押し当てることによって固定する。このとき、カメラ付き携帯電話４０のカメラレンズ４２が、カメラ孔１１を通してベース１０から露出するような位置に固定するようにする。
そして、図４に示すように、アタッチメント１を取り付けた状態のカメラ付き携帯電話４０を手で把持し、当接部２０の先端を名刺１００が配置された面に当接させて使用する。
こうすれば、当接部２０の先端を名刺１００が配置された面に当接させた状態で撮像を行えるので、手振れの問題が生じにくく、ピントを合わせ易くなる。また、名刺１００に適した撮像範囲とすることができる。上述したように、当接部２０を使用位置に配置した場合には、名刺１００からカメラレンズ４２までの光学距離を固定した場合におけるカメラレンズ４２によるピント位置が撮像可能位置となるように構成されているため、当接部２０の先端を名刺１００が配置された面に当接させれば、名刺１００に対してピント、ひいては撮像範囲を自動的に決定することができる。
また、カメラ付き携帯電話４０のカメラ照明４４をつけると、名刺１００に光を照射することができる。すなわち、撮像範囲に届く光の量を多くすることができ、画像を明るくすることができる。
【００３６】
このようにして、撮像対象物たる名刺１００を的確に撮像することができる。なお、撮像により得られた画像についてのデータは、使用するカメラ付き携帯電話の機能にもよるが、カメラ付き携帯電話４０が備える内部メモリに記録したり、カメラ付き携帯電話４０から外部へ出力したり、或いはカメラ付き携帯電話４０が備えるメール機能を用いて送信したりすることによって利用することができる。
名刺１００の撮像が終了したら、カメラ付き携帯電話４０からアタッチメント１を取り外す。
そして、当接部２０を回転させて、図３（ｂ）のように、ベース１０の当接面１０ａと重なるような位置に移動させることにより、アタッチメント１をコンパクトなカード形状とすることができる。
【００３７】
なお、カメラ付き携帯電話の代わりに、デジタルカメラを使用する場合も、上記と同様に使用することができる。
【００３８】
＜第二実施形態＞
次に、本発明の第二実施形態のアタッチメント２について、図６ないし図９（ａ），図９（ｂ）に基づいて説明する。
本実施形態におけるアタッチメント２は、上述のアタッチメント１と同様、ベースと当接部とを有する構成とされているが、その形状において異なる。
すなわち、本実施形態のアタッチメント２は、図６ないし図９（ａ），図９（ｂ）に示すように、ベース５０と、当接部６０と、を備えており、ベース５０と当接部６０は、着脱自在に構成されている。
【００３９】
ベース５０は、図６、図７に示すように、長細い半円柱形状のものとされており、ベース５０をカメラ付き携帯電話４０に取り付けた際、カメラレンズ４２と向かい合う位置にカメラ孔５１が設けられている。
このベース５０は、カメラ付き携帯電話４０のカメラレンズ４２が設けられている面と当接する矩形の当接面５０ａを有している。このベース５０の直径、すなわち当接面５０ａの幅は、ベース１０と異なりカメラ付き携帯電話４０の幅よりもずっと狭いが、カメラレンズ４２を露出できるカメラ孔５１を設けることができる程度の幅とされている。
このベース５０には、ベース５０をカメラ付き携帯電話４０に取り付けた際、カメラレンズ４２と向かい合う位置にカメラ孔５１が設けられている。このカメラ孔５１は、本実施形態では、円形とされている。
このカメラ孔５１には、第一実施形態と同様に、対物レンズ７０が嵌め込まれている。なお、対物レンズ７０は、必要に応じて取り付けることができるようにしてもよいし、有しないような構成としてもよいことは、第一実施形態と同様である。
本実施形態の当接面５０ａの幅は、上述のようにカメラ孔５１を設けることができる程度の幅とされているため、カメラ照明４４の視野を遮ることがない。このことから、本実施形態では、ベース５０にはライト孔が設けられていない。
【００４０】
当接面５０ａは、その所定の位置に、カメラ付き携帯電話４０を着脱可能に固定するための粘着部５２を有する。この粘着部５２は、ベース５０よりも小さく、粘着部５２の幅は当接面５０ａの幅よりも狭い。粘着部５２は、当接面５０ａの長手方向の両端のうち、カメラ孔５１から離れた一端側に、カメラ孔５１と隣接するようにして設けられている。
【００４１】
また、当接面５０ａの所定の位置には、アタッチメント２を使用しない際に、ベース５０と後述の当接部６０とを接続するための凹部５３が設けられている。
この凹部５３は、本実施形態では断面略矩形とされており、その長手方向の長さは、当接面５０ａの幅方向の長さよりも狭い。凹部５３の深さは、本実施形態ではベース５０の直径の略４分の１程度とされている。
なお、本実施形態では、凹部５３は以上のような穴として構成されているが、この凹部５３の形状、深さは、これに限られない。また、”穴”ではなく、ベース５０を貫通する、”孔”であってもよい。
【００４２】
また、図７に示すように、ベース５０の長手方向の端部に位置する半円形状の二面のうち、カメラ孔５１と近い方の半円形状の面５０ｂには、アタッチメント２を使用する際に、ベース５０と後述の当接部６０とを接続するための凹部５４が設けられている。
この凹部５４は、上述の凹部５３と略同一の形状とされている。
【００４３】
当接部６０は、図７、図８に示すように、ベース５０と略同一の形状、すなわち、長細い半円柱形状のものとされている。
この当接部６０は、ベース５０の当接面５０ａに相当する、矩形の当接面６０ａを有している。この当接面６０ａには、当接部６０とベース５０の凹部５３または凹部５４とを接続するための凸部６１が設けられている。
この凸部６１は、凹部５３または凹部５４に嵌め込むことができる大きさの突起部とされている。
凸部６１はまた、凹部５３に嵌め込んだ際、図９（ｂ）のように、当接面６０ａの周縁部と当接面５０ａの周縁部とが重なるような位置であって、かつ凹部５４に嵌め込んだ際、図６、図９（ａ）のように、当接部６０の長手方向の端部に位置する半円形状の二面のうち、凸部６１と近い方の半円形状の面６０ｂとベース５０の当接面５０ａとが同一平面上に位置すると共に、当接面６０ａの幅と当接面５０ａの幅とが一致するような位置に設けられている。
【００４４】
このような本実施形態のアタッチメント２を使用する際には、図９（ａ）のような状態の当接部６０の先端を名刺が配置された面に当接させる。
また、アタッチメント２は、その不使用時には、当接部６０の凸部６１を、ベース５０の凹部５４から抜いて、図９（ｂ）のように、凸部６１を凹部５３に嵌め込む。この場合、アタッチメント２は、この図に示すように、不使用時に棒状となるため、コンパクトで持ち運び易いものとなる。
また、不使用時の当接部６０の位置は粘着部５２を覆うような位置となっているため、第一実施形態と同様に、当接部６０が粘着部５２のカバーになる。
なお、本実施形態の不使用時のアタッチメント２における最も厚みのある部分は、第１実施形態と同様、５ｍｍとなるように構成されているものとするが、これに限られない。
【００４５】
以上のアタッチメント２の使用方法は、第一実施形態のアタッチメント１の使用方法と同様である。
【００４６】
また、以上の実施形態は、撮像対象物が名刺である場合について説明したが、これに限られず、その他の規格化された形状の撮像対象物に合わせた当接部を有するアタッチメントとすることもできる。
【図面の簡単な説明】
【００４７】
【図１（ａ）】本発明のアタッチメントを取り付けるためのカメラ付き携帯電話を開いた状態を示す図。
【図１（ｂ）】本発明のアタッチメントを取り付けるためのカメラ付き携帯電話の一方のケースの回転状態を示す図。
【図１（ｃ）】本発明のアタッチメントを取り付けるためのカメラ付き携帯電話を閉じた状態を示す図。
【図１（ｄ）】本発明のアタッチメントを取り付けるためのカメラ付き携帯電話のカメラレンズを露出させた状態を示す図。
【図２】本発明の第一実施形態のアタッチメントおよびカメラ付き携帯電話への取り付け方を示す図。
【図３（ａ）】本発明の第一実施形態のアタッチメントの使用時の状態を示す図。
【図３（ｂ）】本発明の第一実施形態のアタッチメントの不使用時の状態を示す図。
【図４】本発明の第一実施形態のアタッチメントの使用状態を示す図。
【図５】本発明の第一実施形態のアタッチメントによる撮像範囲を示す図。
【図６】本発明の第二実施形態のアタッチメントおよびカメラ付き携帯電話への取り付け方を示す図。
【図７】本発明の第二実施形態のアタッチメントのベースと当接部の取り付け方を示す図。
【図８】本発明の第二実施形態の当接部を一方向から示した図。
【図９（ａ）】本発明の第二実施形態のアタッチメントの使用時の状態を示す図。
【図９（ｂ）】本発明の第二実施形態のアタッチメントの不使用時の状態を示す図。
【符号の説明】
【００４８】
１，２  アタッチメント
１０，５０  ベース
１０ａ，５０ａ，６０ａ  当接面
１１，５１  カメラ孔
１２  ライト孔
１３，５２  粘着部
２０，６０  当接部
２１  ヒンジ
３０，７０  対物レンズ
４０  カメラ付き携帯電話
４１  ディスプレイ
４２  カメラレンズ
４３  カメラレンズ蓋
４４  カメラ照明
５３，５４  凹部
６１  凸部
１００  名刺
【図１（ａ）】
2005141185.tif 000003
【図１（ｂ）】
2005141185.tif 000004
【図１（ｃ）】
2005141185.tif 000005
【図１（ｄ）】
2005141185.tif 000006
【図２】
2005141185.tif 000007
【図３（ａ）】
2005141185.tif 000008
【図３（ｂ）】
2005141185.tif 000009
【図４】
2005141185.tif 000010
【図５】
2005141185.tif 000011
【図６】
2005141185.tif 000012
【図７】
2005141185.tif 000013
【図８】
2005141185.tif 000014
【図９（ａ）】
2005141185.tif 000015
【図９（ｂ）】
2005141185.tif 000016